(57)【要約】【課題】好ましい飛行姿勢が得られ、かつ水中姿勢が変更されうるエギの提供。【解決手段】エギは、ボディに装着された重心移動手段６を備えている。この重心移動手段６は、外筒２０、内筒２２、ストッパー２４及び重錘２６を備えている。外筒２０は、切り欠き２８を備えている。外筒２０は、その内周面の後寄りに、雌ネジ３０を備えている。内筒２２は、外筒２０に収容されている。内筒２２は、その外周面の後寄りに、雄ネジ３２を備えている。内筒２２の一部は、切り欠き２８を通じて外筒２０から露出している。内筒２２が回転すると、ネジ３０、３２により、内筒２２が外筒２０に対して前後方向に移動する。ストッパー２４は、内筒２２に固定されている。ストッパー２４は、磁石である。重錘２６は、球である。重錘２６は、この内筒２２の中において前後方向に移動しうる。重錘２６は、磁着性材料からなる。【選択図】図２
2008022709.tif 000002
【特許請求の範囲】
【請求項１】
ボディ、
このボディに装着された外筒、
この外筒に収容されており、この外筒に対して前後方向に移動しうる内筒
及び
この内筒に収容されており、この内筒の中において前後方向に移動しうる重錘
を備えたルアー。
【請求項２】
上記外筒の内周面に雌ネジが螺刻されており、上記内筒の外周面に雄ネジが螺刻されており、この雌ネジと雄ネジとが螺合しており、外筒又は内筒の回転により内筒が外筒に対して移動しうる請求項１に記載のルアー。
【請求項３】
上記外筒が外周面に切り欠きを備えており、この切り欠きに内筒の外周面の一部が露出しており、この露出した部分に力が加えられることにより内筒が回転するように構成された請求項２に記載のルアー。
【請求項４】
ストッパーをさらに備えており、このストッパーに重錘が磁着されることで重錘の移動が阻止されうる請求項１から３のいずれかに記載のルアー。
【請求項５】
上記ストッパーが内筒に収容されており、かつこの内筒の前端近傍に位置している請求項１から４のいずれかに記載のルアー。
【発明の詳細な説明】
【技術分野】
【０００１】
本発明は、釣りに用いられるルアーに関する。詳細には、本発明は、重心移動式のルアーに関する。
【背景技術】
【０００２】
オオクチバス、ブリ及びその幼魚、スズキのような大型の魚並びにイカは、ベイトとして小魚を補食する。これら大型の魚及びイカは、フィッシュイーターと称されている。フィッシュイーターを捕獲する手段として、ルアーフィッシングが普及している。ルアーフィッシングでは、ルアーが用いられる。ルアーは、キャストされることにより空中を飛行し、やがて着水する。ラインが巻かれることで、ルアーは水中を泳ぐ。このルアーをベイトと勘違いしたフィッシュイーターは、ルアーに食いつく。ルアーに取り付けられたフックがフィッシュイーターに刺さり、フィッシュイーターが釣り上げられる。
【０００３】
釣り人が、ルアーを遠方へキャストしたいと望むことがある。前述のように、ルアーは空中を飛行する。飛行時には、ルアーは空気抵抗を受ける。空気抵抗の小さなルアーは、遠方へとキャストされうる。
【０００４】
特開２００１−２９９１５４公報には、重心移動式のルアーが開示されている。このルアーでは、ボディに内蔵された重錘が前後方向に移動しうる。空中を飛行するとき、重錘は後側（つまりテール側）に位置する。換言すれば、飛行時のルアーの重心は、後寄りである。ルアーは、テールを先頭にして飛行する。この飛行姿勢における空気抵抗は小さいので、ルアーは遠方へとキャストされうる。着水後、磁石に引かれて重錘は前側へと移動する。水中では、重錘は前側に位置する。換言すれば、水中でのルアーの重心は、前寄りである。この重心位置は、好ましい水中姿勢に寄与する。
【０００５】
イカ釣りに用いられるルアーは、「エギ」と称されている。エギは、ボディ、アイ、針部及び重錘を備えている。ボディは、エビに似た形態を備えている。アイには、ラインが結ばれる。キャストされ、着水したエギは、海底に向かって沈降する。この動作は、「フォール」と呼ばれている。釣竿が大きく上方にしゃくられると、ラインに引っ張られてエギは高速で上方へと移動する。この動作は、「ジャンプ」と称されている。ラインが巻かれつつ竿先が左右に連続的に動かされると、エギはジグザグに移動する。この動作は、「ダート」と称されている。これらの動作により、イカはエギをベイトと勘違いし、エギに抱きつく。このとき、イカに針部が引っかかり、イカが釣り上げられる。
【０００６】
エギの沈降姿勢は、その重心位置に大きく依存する。重心が後寄りのエギは、ヘッドとテールとが水平を保ちつつ沈降する。一方、重心が前寄りのエギは、テールよりもヘッドが下に位置しつつ沈降する。エギの沈降速度も、その重心位置に大きく依存する。重心が後寄りのエギは、ゆっくりと沈降する。一方、重心が前寄りのエギは、速く沈降する。ジグザグに移動するときの幅（以下「ダート幅」と称される）も、エギの重心位置に大きく依存する。
【０００７】
潮の速度、水温、イカの活性、ベイトの種類等の状況に応じ、釣り人は、重心位置が適切なエギを選択する。釣り人は、重心位置の異なる複数のエギを準備しなければならない。このことは、釣り人にとって負担である。
【０００８】
重心位置のチューニングが、釣り人によって行われることもある。具体的には、ボディ又は重錘の所定位置に糸重錘が巻き付けられることで、エギの重心位置が変更されうる。この巻き付け作業は、釣り人にとって負担である。また、糸重錘の量や位置は釣り人の勘に委ねられるので、重心位置の正確な設定は不可能である。
【０００９】
株式会社シマノが２００５年１月２８日に発行した「２００５  シマノフィッシングタックルカタログ」の第２４０頁には、重心移動式のエギ（すなわちルアー）が開示されている。このエギは、ボディに取り付けられたボルトと、このボルトが螺入された重錘とを備えている。重錘が回転させられることにより、この重錘は前後方向に移動しうる。重錘の移動により、エギの重心が移動する。この移動により、エギの水中姿勢が変動する。
【特許文献１】特開２００１−２９９１５４公報
【非特許文献１】「２００５  シマノフィッシングタックルカタログ」
【発明の開示】
【発明が解決しようとする課題】
【００１０】
特開２００１−２９９１５４公報に開示されたルアーでは、飛行時の重心位置と水中での重心位置とは異なる。しかし、水中での重心位置は一定である。換言すれば、このルアーでは、水中姿勢の変動は困難である。
【００１１】
「２００５  シマノフィッシングタックルカタログ」の第２４０頁に開示されたエギでは、水中での重心位置が変更されうる。しかし、この変更はキャスト前に釣り人によってなされる必要がある。釣り人が重心位置を設定した後は、キャスト時からリトリーブ完了まで、重心位置は一定である。水中姿勢及びアクションが重視された位置に重心が設定された場合、このエギの飛行姿勢は、空気抵抗の観点からは好ましいものではない。
【００１２】
本発明の目的は、好ましい飛行姿勢が得られ、かつ水中姿勢が変更されうるルアーの提供にある。
【課題を解決するための手段】
【００１３】
本発明に係るルアーは、
（１）ボディ、
（２）このボディに装着された外筒、
（３）この外筒に収容されており、この外筒に対して前後方向に移動しうる内筒
及び
（４）この内筒に収容されており、この内筒の中において前後方向に移動しうる重錘
を備える。
【００１４】
好ましくは、外筒の内周面に雌ネジが螺刻され、上記内筒の外周面に雄ネジが螺刻される。この雌ネジと雄ネジとは、螺合する。外筒又は内筒の回転により、内筒が外筒に対して移動しうる。好ましくは、外筒は外周面に切り欠きを備える。この切り欠きに、内筒の外周面の一部が露出する。この露出した部分に力が加えられることにより、内筒が回転する。
【００１５】
好ましくは、このルアーは、ストッパーをさらに備える。このストッパーに重錘が磁着されることで、重錘の移動が阻止されうる。好ましくは、ストッパーは内筒に収容されており、かつこの内筒の前端近傍に位置する。
【発明の効果】
【００１６】
本発明に係るルアーでは、飛行時は重錘が後方位置にある。このルアーは、テールを先頭にして飛行する。このときの空気抵抗は、小さい。このルアーでは、大きな飛距離が得られる。着水後、重錘は前方位置へと移動する。このルアーでは、外筒に対して内筒が移動することで、前方位置が変更されうる。前方位置の変更により、水中姿勢及びアクションが変更されうる。
【発明を実施するための最良の形態】
【００１７】
以下、適宜図面が参照されつつ、好ましい実施形態に基づいて本発明が詳細に説明される。
【００１８】
図１は、本発明の一実施形態に係るルアーとしてのエギ２が示された正面図である。図１において、左側がエギ２の前側であり、右側がエギ２の後側である。このエギ２は、ボディ４、固定タイプの重錘５、重心移動手段６、ヒレ８、アイ１０及び針部１２を備えている。
【００１９】
ボディ４の形状は、エビに類似している。ボディ４は、木又は合成樹脂からなる。ボディ４の表面が着色されてもよい。ボディ４の表面に、模様が画かれてもよい。着色や模様は、イカに対するアピールに寄与する。ボディ４にクロスが巻かれ、このクロスが着色されてもよい。ボディ４には、重錘５が固定されている。ボディ４には、重心移動手段６が装着されている。重心移動手段６の大部分は、ボディ４に収容されている。重心移動手段６の一部は、ボディ４からその下方に露出している。重心移動手段６は、前下がりである。
【００２０】
ヒレ８は、合成樹脂等からなる。ヒレ８は、毛羽状である。ヒレ８は、ボディ４に、接着剤等の手段によって接合されている。ヒレ８は、イカに対するアピールに寄与する。
【００２１】
アイ１０は、ボディ４の前端に位置する。アイ１０は、金属線が曲げられて形成されている。金属線の端は、ボディ４に埋め込まれており、ボディ４に堅固に固定されている。このアイ１０には、ラインが結ばれる。
【００２２】
針部１２は、ボディ４の後端に位置する。針部１２は、軸１４、前針１６及び後針１８からなる。軸１４の前端は、ボディ４に埋め込まれており、ボディ４に堅固に固定されている。前針１６は、軸１４の途中から前方に向かって延びている。多数の前針１６が、放射状に配列されている。後針１８は、軸１４の後端から前方に向かって延びている。多数の後針１８が、放射状に配列されている。前針１６及び後針１８は、先細り形状である。イカがエギ２に抱きついたとき、イカの触手が前針１６又は後針１８に引っ掛かる。これにより、イカが釣り上げられる。
【００２３】
図２は図１のエギ２の重心移動手段６が示された拡大断面図であり、図３はその分解図である。図２及び図３において左右方向は、エギ２の前後方向である。この重心移動手段６は、外筒２０、内筒２２、ストッパー２４及び移動式の重錘２６を備えている。
【００２４】
外筒２０は、ボディ４（図１参照）に水密に固定されている。外筒２０は、ボディ４に対して移動し得ない。外筒２０の断面形状は、円である。外筒２０は、切り欠き２８を備えている。切り欠き２８は、外筒２０の前寄りであって、かつ下方に形成されている。外筒２０は、その内周面の後寄りに、雌ネジ３０を備えている。
【００２５】
内筒２２は、外筒２０に収容されている。内筒２２は、水密である。内筒２２の断面形状は、円である。内筒２２の外径は、外筒２０の内径とほぼ同等である。内筒２２は、その外周面の後寄りに、雄ネジ３２を備えている。この雄ネジ３２は、雌ネジ３０と螺合している。内筒２２が正回転すると、ネジ３０、３２により内筒２２が推進され、この内筒２２が外筒２０に対して後方へと移動する。内筒２２が逆回転すると、ネジ３０、３２により内筒２２が推進され、この内筒２２が外筒２０に対して前方へと移動する。図２では、内筒２２の後端が外筒２０の後端と当接している。
【００２６】
内筒２２は、その外周面の前寄りに、ローレット部３４を備えている。このローレット部３４は、多数の筋山と多数の筋溝とからなる。ローレット部３４により、高い摩擦係数が達成されている。内筒２２の一部は、切り欠き２８を通じて外筒２０から露出している。切り欠き２８には、ローレット部３４が露出している。
【００２７】
ストッパー２４は、円盤状である。ストッパー２４は、内筒２２に収容されている。ストッパー２４は、内筒２２の前端近傍に位置している。ストッパー２４は、内筒２２に固定されている。ストッパー２４は、磁石である。好ましい磁石としては、フェライト磁石及び希土類磁石が挙げられる。大きな磁力が得られるとの観点から、希土類磁石が好ましい。希土類磁石の具体例としては、ネオジム磁石、サマリウム−コバルト磁石等が挙げられる。
【００２８】
重錘２６は、内筒２２に収容されている。重錘２６は、球である。重錘２６の外径は、内筒２２の内径よりも若干小さい。重錘２６は、この内筒２２の中において前後方向に移動しうる。エギ２が、２以上の重錘２６を備えてもよい。重錘２６は、磁着性材料からなる。本発明において磁着性とは、磁石に吸着される性質を意味する。重錘２６はストッパー２４に磁着している。磁着により、重錘２６の移動が阻止されている。
【００２９】
図４は、図１のエギ２の重心移動手段６が示された拡大断面図である。図４では、内筒２２の前端は外筒２０の前端と当接している。図４と図２との対比から明らかなように、図４では重錘２６は前寄りに位置している。
【００３０】
図２に示された状態から図４に示された状態への移行では、内筒２２が逆回転するように釣り人がローレット部３４（図３参照）を押す。内筒２２は外筒２０と螺合しているので、内筒２２の逆回転に伴って内筒２２が徐々に前方へと移動する。図４に示された状態から図２に示された状態への移行では、内筒２２が正回転するように釣り人がローレット部３４を押す。内筒２２は外筒２０と螺合しているので、内筒２２の正回転に伴って内筒２２が徐々に後方へと移動する。内筒２２が、図２に示された位置と図４に示された位置との中間に位置してもよい。内筒２２の位置は、無段階で変動しうる。内筒２２の位置の変動に伴い、ストッパー２４及び重錘２６の位置も変動する。
【００３１】
図５は、図１のエギ２の使用状態が示された正面図である。この図５では、内筒２２は最も後寄りに位置している。換言すれば、内筒２２は図２に示された状態にある。重錘２６の位置も、比較的後寄りである。従って、エギ２の重心は後寄りである。エギ２は水中において、ほぼ水平な姿勢を保持しつつ、沈降する。この姿勢では、水の抵抗が大きいので、エギ２は低速で沈降する。
【００３２】
図５において矢印Ａ１で示されているのは、アイ１０に結ばれたライン３６にテンションが掛けられた状態でエギ２が沈降するときの沈降方向である。符号αで示されているのは、そのときの沈降角度である。重心が後寄りにあるエギ２では、沈降角度αは小さい。
【００３３】
釣り人がライン３６を巻きつつ竿先を左右に連続的に動かすと、エギ２はジグザグに移動する。重心が後寄りのエギ２は、小さなダート幅を伴って移動する。
【００３４】
沈降速度が遅いエギ２、沈降角度が小さいエギ２又はダート幅が小さいエギ２に対してアタックしやすいイカがターゲットであるときは、内筒２２が後寄りに位置し、重錘２６が後寄りに置かれることが有利である。
【００３５】
図６は、図１のエギ２の他の使用状態が示された正面図である。この図６では、内筒２２は最も前寄りに位置している。換言すれば、内筒２２は図４に示された状態にある。重錘２６の位置も、前後寄りである。従って、エギ２の重心は前寄りである。エギ２は水中において、ヘッド３８よりもテール４０が高い位置にある姿勢を保持しつつ、沈降する。この姿勢では、水の抵抗が小さいので、エギ２は高速で沈降する。
【００３６】
図６において矢印Ａ２で示されているのは、アイ１０に結ばれたライン３６にテンションが掛けられた状態でエギ２が沈降するときの沈降方向である。符号βで示されているのは、そのときの沈降角度である。重心が前寄りにあるエギ２では、沈降角度βは大きい。
【００３７】
釣り人がライン３６を巻きつつ竿先を左右に連続的に動かすと、エギ２はジグザグに移動する。重心が前寄りのエギ２は、大きなダート幅を伴って移動する。
【００３８】
沈降速度が速いエギ２、沈降角度が大きいエギ２又はダート幅が大きいエギ２に対してアタックしやすいイカがターゲットであるときは、内筒２２が前寄りに位置し、重錘２６が前寄りに置かれることが有利である。
【００３９】
図７は、図１のエギ２の重心移動手段６が示された拡大断面図である。図７では、図２と同様、内筒２２の後端は外筒２０の後端に当接している。図７では、重錘２６は内筒２２の後端に位置している。本発明では、内筒２２との関係において重錘２６が取りうる最も後寄りの位置が、「後方位置」と称される。ストッパー２４と重錘２６との磁着力に勝る力が重錘２６に加わることにより、重錘２６がストッパー２４から離れて後方位置へと移動しうる。
【００４０】
このエギ２がキャストされたとき、重錘２６に遠心力が加わる。この遠心力により、重錘２６がストッパー２４から離れて後方位置へと移動する。エギ２の飛行中、慣性により、重錘２６は後方位置にあり続ける。重錘２６が後方位置にあるとき、エギ２の重心は極めて後寄りである。エギ２は、テールを先頭にした姿勢で飛行する。このときの空気抵抗は、小さい。このエギ２では、大きな飛距離が得られる。
【００４１】
着水後、重心移動手段６が前下がりであることに起因して、重錘２６は前方へと移動する。さらに重錘２６はストッパー２４に引き寄せられ、このストッパー２４に磁着される。本発明では、内筒２２との関係において重錘２６が取りうる最も前寄りの位置が、「前方位置」と称される。前方位置にある重錘２６の、外筒２０との位置関係は、内筒２２の位置に依存する。前方位置にあるとき、水中でエギ２がアクションを起こしても、ストッパー２４に磁着されているので重錘２６は移動しない。このエギ２が再度キャストされると、遠心力により重錘２６は後方位置へと移動する。
【００４２】
重心が大幅に変更されうるとの観点から、重錘２６が高比重な磁着性材料からなることが好ましい。好ましい磁着性材料として、以下の成分を含む粉末が焼結されてなる合金が例示される。
（１）３質量％以上１５質量％以下のニッケル（Ｎｉ）
（２）４質量％以上１５質量％以下の鉄（Ｆｅ）
（３）５０質量％以上９３質量％以下のタングステン（Ｗ）
（４）不可避な不純物
この粉末の主成分は、Ｗである。Ｗの比重は大きいので、Ｗが用いられることにより比重の大きな重錘２６が得られる。Ｗの比率は７０質量％以上が好ましく、８０質量％以上がより好ましく、８５質量％以上が特に好ましい。この重錘２６では、Ｆｅ及びＮｉによって磁着性が発現される。
【００４３】
重錘２６の特に好ましい材質として、以下の成分を含む粉末が焼結されてなる合金が挙げられる。
（１）３質量％以上１５質量％以下のニッケル（Ｎｉ）
（２）４質量％以上１５質量％以下の鉄（Ｆｅ）
（３）５０質量％以上９３質量％以下のタングステン（Ｗ）
（４）０．５質量％以上１０質量％以下のコバルト（Ｃｏ）又は銅（Ｃｕ）
（５）不可避な不純物
【００４４】
このエギ２では、重錘２６が種々の前方位置を取りうるので、水中における重心が変更されうる。このエギ２では、重錘２６が、飛行時に後方位置をとるので、大きな飛距離が得られる。１つの重錘２６が、水中姿勢変更のための重心変更機能と飛距離のための重心変更機能とを併せ持つ。
【００４５】
ネジ３０、３２以外の機構により、内筒２２が外筒２０に対して移動してもよい。重錘２６が磁石からなり、ストッパー２４が磁着性材料からなってもよい。ローレット以外の手段により、内筒２２の摩擦係数が高められてもよい。
【００４６】
図８は、本発明の他の実施形態に係るルアーとしてのミノー４２が示された正面図である。このミノー４２は、ボディ４４、アイ４６、第一フック４８及び第二フック５０を備えている。このミノー４２はさらに、図２及び図３に示された重心移動手段６を備えている。この重心移動手段６は、外筒２０、内筒２２、ストッパー２４及び移動式の重錘２６を備えている。内筒２２が回転することで、この内筒２２は外筒２０に対して前後方向に移動しうる。重錘２６は、内筒２２の中において前後方向に移動しうる。
【００４７】
ミノー４２が水中にあるとき、重錘２６はストッパー２４に磁着している。換言すれば、重錘２６は前方位置にある。重錘２６の位置は、外筒２０に対する内筒２２の位置に依存する。内筒２２が外筒２０に対して後寄りに位置するとき、重錘２６の前方位置も後寄りである。従って、ミノー４２の重心は後寄りである。内筒２２が外筒２０に対して前寄りに位置するとき、重錘２６の前方位置も前寄りである。従って、ミノー４２の重心は前寄りである。このミノー４２では、内筒２２の移動により、重心位置が変更されうる。重心位置の変更により、ミノー４２の水中姿勢及び泳ぎが変更されうる。
【００４８】
ミノー４２がキャストされると、ストッパー２４と重錘２６との磁着力に勝る遠心力が重錘２６に加わることにより、重錘２６がストッパー２４から離れて後方位置へと移動する。ミノー４２の飛行中、慣性により、重錘２６は後方位置にあり続ける。重錘２６が後方位置にあるとき、ミノー４２の重心は極めて後寄りである。ミノー４２は、テールを先頭にした姿勢で飛行する。このときの空気抵抗は、小さい。このミノー４２では、大きな飛距離が得られる。このミノー４２では、１つの重錘２６が、水中姿勢変更のための重心変更機能と飛距離のための重心変更機能とを併せ持つ。
【産業上の利用可能性】
【００４９】
以上説明された重心移動手段は、エギ及びミノーのみならず、種々のルアーに採用されうる。
【図面の簡単な説明】
【００５０】
【図１】図１は、本発明の一実施形態に係るルアーとしてのエギが示された正面図である。
【図２】図２は、図１のエギの重心移動手段が示された拡大断面図である。
【図３】図３は、図１のエギの重心移動手段が示された一部切り欠き分解図である。
【図４】図４は、図１のエギの重心移動手段が示された拡大断面図である。
【図５】図５は、図１のエギの使用状態が示された正面図である。
【図６】図６は、図１のエギの他の使用状態が示された正面図である。
【図７】図７は、図１のエギの重心移動手段が示された拡大断面図である。
【図８】図８は、本発明の他の実施形態に係るルアーとしてのミノーが示された正面図である。
【符号の説明】
【００５１】
２・・・エギ
４、４４・・・ボディ
５・・・固定式の重錘
６・・・重心移動手段
１０、４６・・・アイ
１２・・・針部
２０・・・外筒
２２・・・内筒
２４・・・ストッパー
２６・・・移動式の重錘
２８・・・切り欠き
３０・・・雌ネジ
３２・・・雄ネジ
３４・・・ローレット部
４２・・・ミノー
４８・・・第一フック
５０・・・第二フック
【図１】
2008022709.tif 000003
【図２】
2008022709.tif 000004
【図３】
2008022709.tif 000005
【図４】
2008022709.tif 000006
【図５】
2008022709.tif 000007
【図６】
2008022709.tif 000008
【図７】
2008022709.tif 000009
【図８】
2008022709.tif 000010